【手続補正書】
【提出日】平成22年10月5日(2010.10.5)
【手続補正１】
【補正対象書類名】特許請求の範囲
【補正対象項目名】全文
【補正方法】変更
【補正の内容】
【特許請求の範囲】
【請求項１】
分岐ハイブリッドポリマーの調製方法であって、
（ａ）ポリイミド、ポリアミック酸及びそのエステルから構成されるクラスに属する、モノマー、マクロモノマー、及び、ポリマーから成る群から選択される少なくとも一つの成分と、
（ｂ）官能基含有付加ポリマーである少なくとも一つの成分であって、当該少なくとも一つの成分が偏光照射により二量化が可能な光反応基を有する成分、
とを反応させて調製し、
前記官能基含有付加ポリマーは
（i）式で表されるモノアミン又は酸一無水物を末端とする官能基含有付加ポリマー、
（ii）式で表される１以上のアミン基或いは酸無水物基を有する官能基含有付加ポリマー、及び、
（iii）式で表されるジアミン或いは酸二無水物を末端とする官能基含有付加ポリマー
から選択される少なくも一つを含有し、
成分（ａ）と成分（ｂ）は共有結合してコポリマーを形成していることを特徴とする分岐ハイブリッドポリマーの調製方法。
【化１】
2010018807.tif 000001
（式中、Ｗは３価の有機基であり、Ｘは共有結合又は２価の有機基であり、Ｙ3及びＹ4は各々付加ポリマーの繰り返し単位を示す２価の有機基であり、ｎは２〜５０００である。Ｗ、Ｘ、Ｙ3及びＹ4は各々独立して単一の化学構造、或いは異なる化学構造の集合体を示し得る。）
【化２】
2010018807.tif 000002
（式中、Ｗは３価の有機基であり、Ｘは共有結合或いは２価の有機基である。Ｙ1は付加ポリマーの繰り返し単位を示す３価の有機基であり、Ｙ2は付加ポリマーの繰り返し単位を示す２価の有機基であり、ｎは２〜５０００であり、ｐは１〜１０００である。Ｗ、Ｘ、Ｙ1及びＹ2は各々独立して単一の化学構造、或いは異なる化学構造の集合体を示し得る。）
【化３】
2010018807.tif 000003
（式中、Ｍ2は５価の有機基であり、Ｑ2はフッ素、塩素、シアノ、アルキル、フルオロアルキル、アルコキシ、アルキルアミノ或いはジアリルアミノで任意的に置換された３価の有機基である。また、Ｙ3及びＹ4は各々付加ポリマーの繰り返し単位を示す２価の有機基であり、ｎは２〜５０００である。Ｍ2、Ｑ2、Ｙ3及びＹ4は各々独立して単一の化学構造、或いは異なる化学構造の集合体を示し得る。）
【請求項２】
成分（ｂ）は次の化合物
【化４】
2010018807.tif 000004
及び
【化５】
2010018807.tif 000005
を含む、請求項１に記載の分岐ハイブリッドポリマーの調製方法。
【請求項３】
成分（ｂ）は次の化合物
【化６】
2010018807.tif 000006
及び
【化７】
2010018807.tif 000007
を含む、請求項１に記載の分岐ハイブリッドポリマーの調製方法。
【請求項４】
成分（ｂ）は次の化合物
【化８】
2010018807.tif 000008
及び
【化９】
2010018807.tif 000009
を含む、請求項１に記載の分岐ハイブリッドポリマーの調製方法。
【請求項５】
成分（ｂ）は次の化合物
【化１０】
2010018807.tif 000010
及び
【化１１】
2010018807.tif 000011
を含む、請求項１に記載の分岐ハイブリッドポリマーの調製方法。
【請求項６】
成分（ｂ）は次の化合物
【化１２】
2010018807.tif 000012
及び
【化１３】
2010018807.tif 000013
を含む、請求項１に記載の分岐ハイブリッドポリマーの調製方法。
【請求項７】
官能基含有付加ポリマーは官能部分を側鎖として有する、請求項１に記載の分岐ハイブリッドポリマーの調製方法。
【請求項８】
官能部分を側鎖として有する官能基含有付加ポリマーは、メタクリレートとその誘導体、アクリレートとその誘導体、メタクリルアミドとその誘導体、アクリルアミドとその誘導体、オレフィンとその誘導体、ビニル化合物とその誘導体、スチレンとその誘導体、マレイミドとその誘導体、ノルボルネンとその誘導体、及びこれらの混合物から成る群から選択される少なくとも１種から調製される、請求項１または７に記載の分岐ハイブリッドポリマーの調製方法。
【請求項９】
側鎖としての少なくとも１個の官能部分はアミンである、請求項７に記載の分岐ハイブリッドポリマーの調製方法。
【請求項１０】
官能基含有付加ポリマーは官能基前駆体含有付加ポリマーから調製され、官能基前駆体含有付加ポリマーは次の化合物
【化１４】
2010018807.tif 000014
【化１５】
2010018807.tif 000015
及び
【化１６】
2010018807.tif 000016
から調製される、請求項９に記載の分岐ハイブリッドポリマーの調製方法。
【請求項１１】
官能基含有付加ポリマーは官能基前駆体含有付加ポリマーから調製され、官能基前駆体含有付加ポリマーは次の化合物
【化１７】
2010018807.tif 000017
【化１８】
2010018807.tif 000018
及び
【化１９】
2010018807.tif 000019
から調製される、請求項９に記載の分岐ハイブリッドポリマーの調製方法。
【請求項１２】
成分（ｂ）の少なくとも一種は、３−アリールアクリル酸エステル（桂皮酸エステル）、カルコン及びクマリン構造体からなる群から選択される少なくとも一種を含む成分から調製されることを特徴とする請求項１または７に記載する分岐ハイブリッドポリマーの調整方法。
【手続補正２】
【補正対象書類名】明細書
【補正対象項目名】発明の名称
【補正方法】変更
【補正の内容】
【発明の名称】分岐ハイブリッドポリマーの調製方法
【手続補正３】
【補正対象書類名】明細書
【補正対象項目名】００２２
【補正方法】変更
【補正の内容】
【００２２】
本明細書において、「付加性モノマー」は、付加ポリマー或いはコポリマーの重合に用いる単反応基を持つモノマーユニットとして定義される。本明細書において「官能基含有付加性モノマー」は、付加ポリマー或いはコポリマーの重合に用いる、他の官能化部分を少なくとも１個含有する付加性モノマーとして定義される。この官能化部分としては、アミンやジアミン、酸無水物、酸二無水物、イソシアネート、酸クロリド等が挙げられるが、これらに限定されない。
【手続補正４】
【補正対象書類名】明細書
【補正対象項目名】００５２
【補正方法】変更
【補正の内容】
【００５２】
次いで、活性化ポリイミド１及び／又は２を付加性モノマー３と付加共重合してハイブリッドポリマーを得る。本発明における付加性モノマーの好ましい単反応基としては、それぞれメタクリレートとその誘導体、アクリレートとその誘導体、メタクリルアミドとその誘導体、アクリルアミドとその誘導体、アリル基とその誘導体、ビニル基とその誘導体、スチレンとその誘導体、マレイミド或いは無水マレイン酸とその誘導体、ノルボルネンとその誘導体等が挙げられるが、これらに限定されない。本発明における付加性モノマーの最も好ましい単反応基としては、メタクリレートとその誘導体及びアクリレートとその誘導体が挙げられる。
【手続補正５】
【補正対象書類名】明細書
【補正対象項目名】００５３
【補正方法】変更
【補正の内容】
【００５３】
【化１】
2010018807.tif 000020
【手続補正６】
【補正対象書類名】明細書
【補正対象項目名】００５４
【補正方法】変更
【補正の内容】
【００５４】
式中、Ｍは４価の有機基であり、Ｑはフッ素、塩素、シアノ、アルキル、フルオロアルキル、アルコキシ、アルキルアミノ或いはジアリルアミノで任意的に置換された２価の有機基であり、Ｒ4及びＲ5は各々１価或いは２価の有機基であり、Ｒ1及びＲ2は各々１価の有機基であって、各々は重合性部分を含んでおり、Ｒ4、Ｒ5、Ｒ1及びＲ2は、メタクリレートとその誘導体、アクリレートとその誘導体、メタクリルアミドとその誘導体、アクリルアミドとその誘導体、アリル基とその誘導体、ビニル基とその誘導体、スチレンとその誘導体、マレイミド或いは無水マレイン酸とその誘導体、及びノルボルネンとその誘導体から成る群から独立して選択される少なくとも１種の有機基であり、Ｚは１価の有機基であり、ｎは３〜５０００である。Ｒ1、Ｒ2、Ｒ4、Ｒ5、Ｍ、Ｑ及びＺは各々独立して単一の化学構造、或いは異なる化学構造の集合体を示し得る。
【手続補正７】
【補正対象書類名】明細書
【補正対象項目名】００５７
【補正方法】変更
【補正の内容】
【００５７】
次いで、活性化ポリイミド４を付加性モノマー５と重合し、ハイブリッドポリマーを得る。本発明における付加性モノマーの好ましい単反応基としては、それぞれメタクリレートとその誘導体、アクリレートとその誘導体、メタクリルアミドとその誘導体、アクリルアミドとその誘導体、アリル基とその誘導体、ビニル基とその誘導体、スチレンとその誘導体、マレイミド或いは無水マレイン酸とその誘導体、ノルボルネンとその誘導体等が挙げられるが、これらに限定されない。本発明における付加性モノマーの最も好ましい単反応基としては、メタクリレートとその誘導体及びアクリレートとその誘導体が挙げられる。
【手続補正８】
【補正対象書類名】明細書
【補正対象項目名】００５９
【補正方法】変更
【補正の内容】
【００５９】
式中、Ｍ1は４価の有機基であり、Ｍ2は５価の有機基であり、Ｑ1はフッ素、塩素、シアノ、アルキル、フルオロアルキル、アルコキシ、アルキルアミノ或いはジアリルアミノで任意的に置換された２価の有機基であり、Ｑ2はフッ素、塩素、シアノ、アルキル、フルオロアルキル、アルコキシ、アルキルアミノ或いはジアリルアミノで任意的に置換された３価の有機基であり、Ｒ1、Ｒ2及びＲ3は各々、重合性部分を含む１価の有機基であって、Ｒ1、Ｒ2及びＲ3は、メタクリレートとその誘導体、アクリレートとその誘導体、メタクリルアミドとその誘導体、アクリルアミドとその誘導体、アリル基とその誘導体、ビニル基とその誘導体、スチレンとその誘導体、マレイミド或いは無水マレイン酸とその誘導体、及びノルボルネンとその誘導体から成る群から独立して選択される少なくとも１種の有機基であり、Ｚは１価の有機基である。また、ｎ１は０〜５０００であり、ｎ２は０〜５０００であり、ｎ３は０〜５０００であって、ｎ２＋ｎ３＞０且つｎ１＋ｎ２＋ｎ３＝３〜５０００である。Ｒ1、Ｒ2、Ｒ3、Ｍ1、Ｍ2、Ｑ1、Ｑ2及びＺは各々独立して単一の化学構造、或いは異なる化学構造の集合体を示し得る。
【手続補正９】
【補正対象書類名】明細書
【補正対象項目名】００６２
【補正方法】変更
【補正の内容】
【００６２】
【化３】
2010018807.tif 000021
【手続補正１０】
【補正対象書類名】明細書
【補正対象項目名】００６３
【補正方法】変更
【補正の内容】
【００６３】
式中、Ｍは４価の有機基であり、Ｑはフッ素、塩素、シアノ、アルキル、フルオロアルキル、アルコキシ、アルキルアミノ或いはジアリルアミノで任意的に置換された２価の有機基である。また、Ｗは３価の有機基であり、Ｘは共有結合又は２価の有機基であり、Ｙ3及びＹ4は各々付加ポリマーの繰り返し単位を示す２価の有機基であり、ｎは２〜５０００である。Ｍ、Ｗ、Ｘ、Ｑ、Ｙ3及びＹ4は各々独立して単一の化学構造、或いは異なる化学構造の集合体を示し得る。
【手続補正１１】
【補正対象書類名】明細書
【補正対象項目名】００７４
【補正方法】変更
【補正の内容】
【００７４】
【化５】
2010018807.tif 000022
【手続補正１２】
【補正対象書類名】明細書
【補正対象項目名】００７５
【補正方法】変更
【補正の内容】
【００７５】
式中、Ｍ1は４価の有機基であり、Ｍ2は５価の有機基であり、Ｑ1はフッ素、塩素、シアノ、アルキル、フルオロアルキル、アルコキシ、アルキルアミノ或いはジアリルアミノで任意的に置換された２価の有機基であり、Ｑ2はフッ素、塩素、シアノ、アルキル、フルオロアルキル、アルコキシ、アルキルアミノ或いはジアリルアミノで任意的に置換された３価の有機基である。また、Ｙ3及びＹ4は各々付加ポリマーの繰り返し単位を示す２価の有機基であり、ｎは２〜５０００である。Ｍ1、Ｍ2、Ｑ1、Ｑ2、Ｙ3及びＹ4は各々独立して単一の化学構造、或いは異なる化学構造の集合体を示し得る。方法５の図は、酸二無水物モノマーとジアミンモノマーとを官能基含有付加ポリマーと併用して本発明のハイブリッドポリマーを形成することを示唆するが、これに限定されるものではない。例えば、ハイブリッドポリマーを形成し得る適切な比率及び反応条件であれば、ジアミンモノマー又は酸二無水物モノマーのいずれを用いても、ポリマー組成中の官能基含有付加ポリマーの官能基として適切となり得る。